(57)【要約】      （修正有）【課題】製造が簡単で、素早く縫合糸を切断でき、かつ、誤って人体を傷つける恐れが少ない医療用縫合糸切断構造を提供する。【解決手段】医療用縫合糸切断構造１は、本体１０を備え、本体１０の一側には、二つの凸縁１１が設けられ、二つの凸縁１１の間には、刀溝１２が形成され、本体１０は刀片２０を覆い、刀片２０の刃部２１は本体の外に露出するとともに刀溝１２内に配置される。使用に当たっては、刃部２１、凸縁１１により、片手で、縫合糸の切断と人体の皮膚を押さえる動作を同時に行うことができ、刃部２１は隔離されているため、人体の皮膚を傷つけるのを避けることができる。また、凸縁１１により、快適且つ安定して人体の皮膚を押さえることができるため、皮膚を傷つけることがなく、皮膚の縫合等の縫合手術の際に、素早く縫合糸の切断を行うことができる。【選択図】図１
0003177803.tif 000002
【実用新案登録請求の範囲】
【請求項１】
医療用縫合糸切断構造であって、
前記医療用縫合糸切断構造は、本体を備え、本体の一側には、二つの凸縁が設けられ、二つの凸縁の間には、刀溝が形成され、本体は刀片を覆い、刀片の刃部は本体の外に露出するとともに刀溝内に配置されることを特徴とする、医療用縫合糸切断構造。
【請求項２】
本体には、連結部が設けられ、本体は、連結部を介して、ピンセットと結合され、連結部は開口溝であり、開口溝の内壁には、複数の位置決めリブが設けられることを特徴とする、請求項１に記載の医療用縫合糸切断構造。
【請求項３】
凸縁の下表面と水平面は、斜角を形成することを特徴とする、請求項１に記載の医療用縫合糸切断構造
【考案の詳細な説明】
【技術分野】
【０００１】
本考案は医療用縫合糸切断構造に関し、特に皮膚の縫合等の縫合手術の際に、素早く縫合糸を切断することができるとともに、誤って人体の皮膚を傷つけることがなく、製造が簡単で、製造コストも低い医療用縫合糸切断構造に関する。
【背景技術】
【０００２】
医師が、医療の縫合手術を行う時、一方の手でピンセットを握って傷口の周辺の皮膚を挟み、さらに、もう一方の手で持針器を操作し、持針器で、一針一針、順番に傷口を縫合していく。しかしながら、医師が患者の縫合手術をする時は、一針ごとに縫い合わせてはさみで切断した後、二針目、三針目と縫っていかなければならない。また、縫合の過程で面倒なのは、医師が一針縫った後に、片手を空けて、はさみに持ち替えて縫合糸を切らなければ、次の一針の縫合へと進むことができない。或いは、看護士に縫合糸の切断を手伝ってもらわなければならない。しかしながら、医師自身が行うにしても、看護士に手伝ってもらうにしても、非常に手間がかかり、人的資源の浪費となる。
【０００３】
そこで、本考案者は、以前に、挟む機能と切る機能を兼ね備えた手術用ピンセット結構を申請した。その構造は、ピンセットの一端に取り外し可能な刀片を連結してなる。それにより、ピンセットと刀片を換えて使用することができるようになり、別のはさみ、或いは、助手の手を借りる必要なくなり、素早く縫合糸の切断を行えるようになる。
【０００４】
しかしながら、この手術用ピンセット構造は、少なくとも、以下の欠点がある。
１、この構造の刀片は、二つの突出した弧端頂縁を備えており、弧端頂縁の間には、開口溝が形成され、開口溝内には刃部が設けられる。しかしながら、刀片は全て金属材料からなり、刀片の形状構造は、複雑であるため、刀片は、プレス成形や研磨等の加工製造成形をしにくく、製造コストが高くなってしまう。
２、縫合糸の切断は、事実上、刃部だけで達成できてしまうが、その刀片全体が金属材料からなるため、製造コストが高くなってしまう。
【０００５】
また、はさみの端部は鋭利であり、刃部には保護構造が設けられていないため、はさみで縫合糸を切断する際、誤って、人体の皮膚を傷つけてしまうことがある。また、皮膚の縫合手術を行う際、ピンセットとはさみをもちかえる動作がかなり面倒である以外に、傷口周辺の皮膚をまず押さえつけてから、皮膚に位置する縫合糸を縫い合わせた終わりの部分を引っ張り出し、はさみでその上側の縫合糸を切断するため、もし、ピンセットで傷口周辺の皮膚を押さえつけた場合、不快感が生じるとともに、人体の皮膚を傷つけてしまうことがある。
【考案の概要】
【考案が解決しようとする課題】
【０００６】
そこで、本考案は、製造が簡単で、製造コストが低い、医療用縫合糸切断構造を提供することを目的とする。
【課題を解決するための手段】
【０００７】
上述の目的を達成するために、本考案の医療用縫合糸切断構造は、本体を備え、本体の一側には、二つの凸縁が設けられ、二つの凸縁の間には、刀溝が形成され、本体は刀片を覆い、刀片の刃部は本体の外に露出するとともに刀溝内に配置される。
【考案の効果】
【０００８】
本考案の刃部、凸縁により、片手で、縫合糸の切断と人体の皮膚を押さえる動作を同時に行うことができ、刃部は隔離されているため、人体の皮膚を傷つけるのを避けることができる。また、凸縁により、快適且つ安定して人体の皮膚を押さえることができるため、皮膚を傷つけることがなく、皮膚の縫合等の縫合手術の際に、素早く縫合糸の切断を行うことができる。また、本体が刀片を覆っており、製造がしやすく、製造コストも低くすることができる。
【図面の簡単な説明】
【０００９】
【図１】本考案の実施例１の斜視図である。
【図２】本考案の実施例１の俯瞰図である。
【図３】本考案の実施例１の側面図である。
【図４】本考案の実施例１のもう一つの側面図である。
【図５】本考案の実施例１とピンセットの分解斜視図、及び本考案の実施例１とピンセットの組合せ箇所の拡大断面図である。
【図６】本考案とピンセットを組み合わせた後の俯瞰図である。
【図７】本考案とピンセットを組み合わせた後の側面図である。
【図８】本考案とピンセットを組み合わせて実際に使用している状態を示した説明図である。
【図９】本考案の実施例２の斜視図である。
【図１０】本考案の実施例２を、連結部から見た側面図である。
【図１１】本考案の実施例３の斜視図である。
【図１２】本考案の実施例４の側面図である。
【図１３】本考案の実施例４と、一般的な厚さのピンセットを結合させた使用実施例を示した側面図である。
【図１４】本考案の実施例４と、厚さの厚いピンセットを結合させた使用実施例を示した側面図である。
【考案を実施するための形態】
【００１０】
（実施例１）
図１、図２、図３、図４を参照する。本考案による医療用縫合糸切断構造１は、本体１０と、部分的に本体１０に覆われた刀片２０と、連結部３０と、からなる。本考案は、単独で使用して縫合糸を切断することができるとともに、連結部３０を介してピンセット９０と結合することで、縫合手術の時に（例えば、皮膚の縫合手術の時）、素早く、縫合糸を切断することができ、しかも、誤って皮膚を傷つけてしまうのを避けることができる。また、本体１０が刀片２０を覆っており、製造がしやすく、製造コストも下げることができる。以下に、詳細な説明を行う。
【００１１】
本体１０は、プラスチック材質或いはゴム材質等の材料を一体成型してなる。本体１０の一側には、孤状且つ厚さが薄い二つの凸縁１１が設けられ、凸縁１１の間には、刀溝１２が形成される。本体１０の表面は、凹部１３及び複数の凸部１４を備える。それにより、指が接触した時に大きな摩擦力を生み、力をいれやすくなるとともに、滑り止めの効果もある。また、外観の美しさも向上する。本体１０の一側の下表面、即ち、凸縁１１の下表面と水平面は、斜角θを形成し、それにより、凸縁１１は、本体１０の一側で反りかえった状態を形成し、凸縁１１下表面を皮膚に押しつけ、縫合手術の縫合糸の切断の動作の際に、人体工学に符合させることができ、しいては、本体１０による縫合糸の切断の操作がより行いやすくなる。
【００１２】
刀片２０は、長方形の薄片状を形成するとともに、本体１０によって一部が覆われ、また、刀片２０の刃部２１は、本体１０の外に露出するとともに、刀溝１２内に配置される。
【００１３】
連結部３０は、本体１０に一体成型され、連結部３０は所定の深さを備える開口溝である。開口溝の四つの内壁の内の向かい合う二つの側には、それぞれ、細い形状の相互に対応する二つの位置決めリブ３１が設けられ、開口溝内のもう一方の向かい合う二つの側には、太い形状の相互に対応する二つの位置決めリブ３２が設けられる。。
【００１４】
上述したように、本体１０で刀片２０を包み込む構造により、従来の挟む機能と切る機能を兼ね備えた手術用ピンセット構造の刀片の欠点を改善することができる。本考案は、少なくとも、以下の利点を有する。
【００１５】
１、本体１０の凸縁１１、刀溝１２は、プラスチック材質或いはゴム材質等の材料を一体成型して簡単につくることができる。また、刀片２０は形状がシンプルな長方形の薄片状であり、プレス成形或いは研磨等の加工でつくりやすい。従って、本考案の本体１０、刀片２０は、製造がしやすく、製造コストを下げることができる。
２、本体１０は、プラスチック材質、或いは、ゴム材質等の材料からなり、刀片２０は金属材料からなるものの、本体１０における刀片２０が占める比率を最小に抑えることができるため、製造コストを下げることができる。
【００１６】
図５、図６、図７に示すように、本考案の本体１０は、連結部３０を介して、ピンセット９０に結合する。主に、ピンセット９０の平ら状の上端部の両側を、連結部３０の開口溝の両側の位置決めリブ３１の間にきつく差し込むと、位置決めリブ３２はピンセット９０上端部の上下表面に圧迫される。以上により、本体１０を、連結部３０を介して、ピンセット９０に素早く且つきつく結合させることができる。また、ピンセット９０と簡単に分離させることができ、それにより、本考案の医療用縫合糸切断構造１とピンセット９０を収納、携帯しやすくなる。
【００１７】
図８に示すように、本考案は、医師が縫合手術の際に縫合糸を切断する際に使用する。本実施例では、皮膚の縫合手術の縫合糸の切断を例にとって説明を行う。本考案の医療用縫合糸切断構造１は、ピンセット９０と結合すれば、医師は、ピンセット９０と刀片２０を持ち換えるだけで使用することができる。医師が皮膚の縫合手術の縫合糸８０を縫い合わせた後（図示せず）、凸縁１１で傷口周辺の皮膚を押さえつけ、皮膚に位置する縫合糸８０の縫い合わせ終わった部分を引っ張り出し、ピンセット９０を押しだすことで、既に縫い合わせた縫合糸８０が刀溝１２内を通り、さらに、刃部２１を前に押し出すことで、縫いおわった部分の上側の余った縫合糸８０を切断することができる。以上により、医師は、別の縫合糸切断用のはさみや助手の手を借りずに、素早く縫合糸８０を切断することができる。
【００１８】
ここで強調しておきたいこととして以下の点があげられる。医師が本考案の凸縁１１で人体の皮膚に押しつけることにより、片手で、縫合糸の切断と、人体の皮膚に押しつける動作を同時に行うことができる。また、刃部２１は、凸縁１１間の刀溝１２内に位置しているため隔離されており、人体の皮膚が傷つけるのを避けることができる。また、凸縁１１は弧状造型であるため、凸縁１１は、快適且つ安定して人体の皮膚を押さえつけることができるため、誤って傷つけることがない。なお、本考案は、皮膚の縫合手術に特に適している。
【００１９】
図に示すように、本体１０の一側が弧状の凸縁１１を備える設計になっており、しかも、刃部２１が凸縁１１間の刀溝１２内に配置されているため、縫合糸を切断する過程で、誤って皮膚を傷つけてしまうのを防ぐことができる。また、凸縁１１の下表面は、斜角θを備える設計になっているため、凸縁１１の下表面で皮膚され、指で持った本体１０とピンセット９０が反りかえった形状になる。それにより、人体工学に符合させることができるとともに、力を入れやすくなるため、本考案の医療用縫合糸切断構造１で縫合糸を切断する操作がさらに行いやすくなる。また、指が凹部１３、凸部１４に接触する際、大きな摩擦力が生じ、力を入れやすくなるとともに、滑り止めの効果もある。
【００２０】
（実施例２）
図９、図１０に示すように、本考案の実施例２では、本体１０は、凸縁１１と刀溝１２の外が、円柱状外観を形成するとともに、連結部３０の開口溝は円形であり、全体の外観の美しさが増す。
【００２１】
（実施例３）
図１１に示すように、本考案による実施例３では、本体１０がピンセット９０と一体成型になっている。
【００２２】
（実施例４）
図１２、図１３、図１４に示すように、本考案の実施例４では、連結部３０の位置決めリブ３２に、凹部３２１を設けている。それにより、一般的な厚さの上端部を備えるピンセット９０を、簡単に、連結部３０と本体１０にきつく差し込むことができるだけでなく、上端部が厚めのピンセット９０ａを連結部３０に差し込んだ時に、位置決めリブ３２が簡単に弾性変形し、且つ開口溝状連結部３０が簡単に外側に広がり、それにより、上下位置決めリブ３２間に十分な差込空間があるため、位置決めリブ３２はピンセット９０ａ上端部の上下表面にぴったりと当接する。従って、本体１０を、簡単に、上端部の厚さの厚いピンセット９０ａにきつく結合させることができる。。
【符号の説明】
【００２３】
１          医療用縫合糸切断構造      
１０        本体                    
１１        凸縁
１２        刀溝                    
１３        凹部
１４        凸部                    
２０        刀片                    
２１        刃部                    
３０        連結部                
３１        位置決めリブ                
３２        位置決めリブ                
３２１      凹部              
θ          斜角
８０        縫合糸                    
９０        ピンセット
９０ａ      ピンセット
【図１】
0003177803.tif 000003
【図２】
0003177803.tif 000004
【図３】
0003177803.tif 000005
【図４】
0003177803.tif 000006
【図５】
0003177803.tif 000007
【図６】
0003177803.tif 000008
【図７】
0003177803.tif 000009
【図８】
0003177803.tif 000010
【図９】
0003177803.tif 000011
【図１０】
0003177803.tif 000012
【図１１】
0003177803.tif 000013
【図１２】
0003177803.tif 000014
【図１３】
0003177803.tif 000015
【図１４】
0003177803.tif 000016